(57)【要約】【課題】生体埋植材を裁断するのに要する手間を軽減することができ、かつ、生体埋植材を所望のサイズに正確に裁断可能な生体埋植材用保護シートを提供する。【解決手段】シート状の生体埋植材を保護する生体埋植材用保護シート１０。生体埋植材用保護シート１０は、上面に生体埋植材を載置可能に構成された載置部２０と、載置部２０の上面の一部のみを覆うように、載置部２０の端部に連接して配置された把持部３０とを備える。把持部３０は、載置部２０に生体埋植材が載置された状態で載置部２０との間で当該生体埋植材を挟持可能に構成されている。載置部２０には、生体埋植材の裁断を補助する目盛り線５０が形成されている。【選択図】図２
2014124276.tif 000002
【特許請求の範囲】
【請求項１】
シート状の生体埋植材（Ａ）を保護する生体埋植材用保護シートであって、
前記生体埋植材（Ａ）の裁断を補助する目盛り線（５０）が形成されている、生体埋植材用保護シート（１０）。
【請求項２】
請求項１に記載の生体埋植材用保護シートにおいて、
前記生体埋植材（Ａ）の一方面を保護する１枚のシートから構成されており、
当該シートは、
上面に前記生体埋植材（Ａ）を載置可能に構成された載置部（２０）と、
前記載置部（２０）の前記上面の一部のみを覆うように、前記載置部（２０）の端部に連接して配置された把持部（３０）とを備え、
前記把持部（３０）は、前記載置部（２０）に前記生体埋植材（Ａ）が載置された状態で前記載置部（２０）との間で当該生体埋植材（Ａ）を挟持可能に構成されており、
前記載置部（２０）に前記目盛り線（５０）が形成されている、生体埋植材用保護シート（１０）。
【請求項３】
請求項２に記載の生体埋植材用保護シートにおいて、
前記載置部（２０）は、不透明材料からなり、
前記目盛り線（５０）は、前記載置部（２０）における前記生体埋植材（Ａ）が載置される側の面にのみ形成されている、生体埋植材用保護シート（１０）。
【請求項４】
請求項２に記載の生体埋植材用保護シートにおいて、
前記載置部（２２）は、透明材料又は半透明材料からなり、
前記目盛り線（５２）は、少なくとも前記載置部（２２）を含む部分に形成されている、生体埋植材用保護シート（１２）。
【請求項５】
請求項１に記載の生体埋植材用保護シートにおいて、
前記生体埋植材用保護シート（１４）は、前記生体埋植材（Ａ）の両面をそれぞれ保護する２枚のシート（１４Ａ，１４Ｂ）から構成されており、
前記２枚のシート（１４Ａ，１４Ｂ）のうち少なくとも一方に前記目盛り線（５４Ｂ）が形成されている、生体埋植材用保護シート（１４）。
【請求項６】
シート状の生体埋植材（Ａ）と、
前記シート状の生体埋植材（Ａ）を保護する生体埋植材用保護シート（１０）と、
前記生体埋植材（Ａ）と前記生体埋植材保護シート（１０）を組み合わせた状態で内部に収納可能に構成された内袋（９０）とを備える包装体であって、
前記生体埋植材用保護シート（１０）は、請求項１〜５のいずれか一項に記載の生体埋植材用保護シートである、包装体（１）。
【請求項７】
請求項６に記載の包装体において、
前記生体埋植材（Ａ）が癒着防止材である、包装体（１）。
【発明の詳細な説明】
【技術分野】
【０００１】
本発明は、シート状の生体埋植材（例えば、癒着防止材や組織補填材など）を保護する生体埋植材用保護シート及び包装体に関する。
【背景技術】
【０００２】
外科手術や外傷等に起因して発生し得る、生体組織の癒着を低減するための癒着防止材として、従来、シート状の癒着防止材が知られている（例えば、特許文献１及び２参照。）。
【０００３】
このようなシート状の癒着防止材は、例えば、２枚の保護シート間に挟まれた状態で袋状の包装体内に収納されている。包装体内に収納された癒着防止材を使用する際は、包装体から保護シートごと癒着防止材を取り出し、所定の貼付方法でもって生体組織に貼付している。
【先行技術文献】
【特許文献】
【０００４】
【特許文献１】特開２００３−０６２０６３号公報
【特許文献２】国際公開２０１１／０８１１６２号パンフレット
【発明の概要】
【発明が解決しようとする課題】
【０００５】
ところで、癒着防止材を実際に使用する手術現場においては、適用する部位の大きさや貼付方法などの諸条件にあわせて、適切なサイズに裁断した癒着防止材を使用したいという要望がある。
【０００６】
癒着防止材を適切なサイズに裁断するにあたり、従来のシート状の癒着防止材の場合には、定規等を用いて所望のサイズに正確に裁断するか、または定規等を用いずに目分量で所望のサイズに裁断することが考えられる。
【０００７】
しかしながら、定規等を用いて癒着防止材を裁断するためには、適切な衛生管理を施した定規等を予め準備しておかなければならない。また、定規等で癒着防止材の寸法を都度測定しなければならず、裁断作業に手間と時間がかかってしまう。
【０００８】
一方、定規等を用いずに目分量で所望のサイズに裁断するのであれば、上述のような衛生管理の手間は生じないし裁断作業の手間も軽減することができるが、定規等を用いずに癒着防止材を所望のサイズに正確に裁断するのは容易なことではない。癒着防止材を所望のサイズに正確に裁断できないと、裁断ミスということで未使用の癒着防止材を廃棄しなければならなかったり、本来必要とされるサイズには満たない癒着防止材を貼付しなければならなかったりする等の不具合がある。本来必要とされるサイズには満たない癒着防止材を生体組織に貼付することは、手術成績に影響を与えかねず、好ましいことではない。
【０００９】
なお、上記の要望は、包装体内に収納されているシート状物が癒着防止材である場合に限ったものではなく、例えばシート状の組織補填材など、他のシート状の生体埋植材である場合にも存在する。
【００１０】
そこで、本発明は、上記の要望を鑑みてなされたもので、生体埋植材を裁断するのに要する手間を軽減することができ、かつ、生体埋植材を所望のサイズに正確に裁断可能な生体埋植材用保護シート及び包装体を提供することを目的とする。
【課題を解決するための手段】
【００１１】
本発明の生体埋植材用保護シートは、シート状の生体埋植材を保護する生体埋植材用保護シートであって、前記生体埋植材の裁断を補助する目盛り線が形成されていることを特徴とする。
【００１２】
本発明の生体埋植材用保護シートによれば、生体埋植材の裁断を補助する目盛り線が形成されているため、この目盛り線を利用すれば定規等を用いなくても生体埋植材を所望のサイズに裁断することが可能となる。このため、定規等を用いる場合に必要とされた衛生管理の手間は生じないし、生体埋植材の寸法を定規等で裁断の都度測定する必要もない。また、目盛り線に沿って裁断することにより、生体埋植材を所望のサイズに正確に裁断することも可能となる。
したがって、本発明の生体埋植材用保護シートは、生体埋植材を裁断するのに要する手間を軽減することができ、かつ、生体埋植材を所望のサイズに正確に裁断可能な生体埋植材用保護シートとなる。
【００１３】
本発明の生体埋植材用保護シートにおいては、前記生体埋植材の一方面を保護する１枚のシートから構成されており、当該シートは、上面に前記生体埋植材を載置可能に構成された載置部と、前記載置部の前記上面の一部のみを覆うように、前記載置部の端部に連接して配置された把持部とを備え、前記把持部は、前記載置部に前記生体埋植材が載置された状態で前記載置部との間で当該生体埋植材を挟持可能に構成されており、前記載置部に前記目盛り線が形成されていることが好ましい。
【００１４】
生体埋植材の一方面のみを保護する生体埋植材用保護シートであっても、上記のように構成することにより、生体埋植材を裁断するのに要する手間を軽減することができ、かつ、生体埋植材を所望のサイズに正確に裁断することが可能となる。
また、載置部に載置された生体埋植材が露出しており視認可能であることから、生体埋植材の位置を確認しながら生体埋植材を裁断することが可能となる。さらに、把持部を介して生体埋植材を指でしっかりと押さえながら正確に裁断することが可能となる。
【００１５】
本発明の生体埋植材用保護シートにおいては、前記載置部は、不透明材料からなり、前記目盛り線は、前記載置部における前記生体埋植材が載置される側の面にのみ形成されていることが好ましい。
【００１６】
例えば生体埋植材が無色透明材料からなる場合、保護シートのどちらの面に生体埋植材が配置されているのかを一見して認識するのは容易ではない。
これに対し、本発明の生体埋植材用保護シートによれば、不透明材料からなる載置部において、生体埋植材が載置される側の面にのみ目盛り線が形成されているため、詳細については実施形態で述べるが、載置部に形成された目盛り線を確認するだけで、保護シートのどちらの面に生体埋植材が配置されているのかを容易に認識することが可能となる。
【００１７】
本発明の生体埋植材用保護シートにおいては、前記載置部は、透明材料又は半透明材料からなり、前記目盛り線は、少なくとも前記載置部を含む部分に形成されていることが好ましい。
【００１８】
例えば生体埋植材が不透明材料からなる場合、保護シート（載置部）が透明材料又は不透明材料から構成されていると、保護シートのどちらの面に生体埋植材が配置されているのかを一見して認識するのは容易ではない。
これに対し、本発明の生体埋植材用保護シートによれば、透明材料又は半透明材料からなる載置部を含む部分に目盛り線が形成されているため、詳細については実施形態で述べるが、載置部に形成された目盛り線を確認するだけで、保護シートのどちらの面に生体埋植材が配置されているのかを容易に認識することが可能となる。
【００１９】
本発明の生体埋植材用保護シートにおいては、前記生体埋植材用保護シートは、前記生体埋植材の両面をそれぞれ保護する２枚のシートから構成されており、前記２枚のシートのうち少なくとも一方に前記目盛り線が形成されていることも好ましい。
【００２０】
生体埋植材をその両面方保護する生体埋植材用保護シートであっても、上記のように構成することにより、生体埋植材を裁断するのに要する手間を軽減することができ、かつ、生体埋植材を所望のサイズに正確に裁断することが可能となる。
【００２１】
本発明の包装体は、シート状の生体埋植材と、前記シート状の生体埋植材を保護する生体埋植材用保護シートと、前記生体埋植材と前記生体埋植材保護シートを組み合わせた状態で内部に収納可能に構成された内袋とを備える包装体であって、前記生体埋植材用保護シートは、本発明の生体埋植材用保護シートであることを特徴とする。
【００２２】
本発明の包装体によれば、上記した本発明の生体埋植材用保護シートを備えているため、生体埋植材を裁断するのに要する手間を軽減することができ、かつ、生体埋植材を所望のサイズに正確に裁断することが可能となる。
【００２３】
本発明の包装体においては、前記生体埋植材が癒着防止材である。
【００２４】
このように構成することにより、本発明の包装体は、癒着防止材を裁断するのに要する手間を軽減することができ、かつ、癒着防止材を所望のサイズに正確に裁断することが可能な包装体となる。
【００２５】
なお、特許請求の範囲に記載した各部材等の文言下に括弧をもって付加された符号は、特許請求の範囲に記載された内容の理解を容易にするために用いられたものであって、特許請求の範囲に記載された内容を限定するものではない。
【図面の簡単な説明】
【００２６】
【図１】図１は、第１実施形態に係る包装体１を説明するために示す図である。
【図２】図２は、第１実施形態に係る生体埋植材用保護シート１０を説明するために示す図である。
【図３】図３は、生体埋植材用保護シート１０に生体埋植材Ａを載置した様子を示す図である。
【図４】図４は、第２実施形態に係る保護シート１２を説明するために示す図である。
【図５】図５は、第３実施形態に係る保護シート１４を説明するために示す図である。
【発明を実施するための形態】
【００２７】
以下、本発明の生体埋植材用保護シート（以下、単に保護シートと略すこともある。）及び包装体について、図に示す実施の形態に基づいて説明する。
【００２８】
［第１実施形態］
まず、第１実施形態に係る包装体１の構成について、図１を用いて説明する。
【００２９】
図１は、第１実施形態に係る包装体１を説明するために示す図である。図１（ａ）は包装体１の全体構成を示す図であり、図１（ｂ）は生体埋植材Ａが載置された状態の保護シート１０を示す図であり、図１（ｃ）は生体埋植材Ａを示す図である。
【００３０】
第１実施形態に係る包装体１は、図１に示すように、シート状の生体埋植材Ａと、生体埋植材Ａを保護する保護シート１０と、生体埋植材Ａ及び保護シート１０を内包する内袋９０とを備える。
【００３１】
生体埋植材Ａは、例えば癒着防止材である。生体埋植材Ａの平面形状は、図１（ｃ）に示すように、例えば平面視矩形状である。生体埋植材Ａは、例えば無色透明である。
【００３２】
内袋９０は、生体埋植材Ａと生体埋植材保護シート１０を組み合わせた状態で内部に収納可能に構成されている。内袋９０の両端部９２，９４は、例えば熱圧着により封止されている。端部９２には切り口９６が設けられており、切り口９６の部分から内袋９０を破ることにより、内袋９０を容易に開封することができる。
内袋９０の構成材料としては、例えばポリエチレン、ポリ塩化ビニル、ポリプロピレンなどの樹脂を好適に用いることができる。
【００３３】
次に、第１実施形態に係る保護シート１０の構成について、図２及び図３を用いて説明する。
【００３４】
図２は、保護シート１０を説明するために示す図である。図２（ａ）は把持部３０を展開した状態における保護シート１０を示す図であり、図２（ｂ）及び図２（ｃ）は把持部３０を折り曲げた状態における保護シート１０を示す図であり、図２（ｄ）は保護シート１０を側面から見た図である。図２（ｂ）は保護シート１０を載置部２０側の面から見た図であり、図２（ｃ）は保護シート１０を載置部２０とは反対側の面から見た図である。
なお、図２（ｄ）において、発明の理解を容易にするため、保護シート１０の厚みを誇張して図示している。
【００３５】
図３は、保護シート１０に生体埋植材Ａを載置した様子を示す図である。図３（ａ）は把持部３０を展開した状態における保護シート１０及び生体埋植材Ａを示す図であり、図３（ｂ）及び図３（ｃ）は把持部３０を折り曲げた状態における保護シート１０及び生体埋植材Ａを示す図である。図３（ｂ）は保護シート１０及び生体埋植材Ａを載置部２０側の面から見た図であり、図３（ｃ）は保護シート１０及び生体埋植材Ａを載置部２０とは反対側の面から見た図である。
なお、図３（ａ）〜図３（ｃ）において、発明の理解を容易にするため、生体埋植材Ａを着色して図示している。
【００３６】
第１実施形態に係る保護シート１０は、図２及び図３に示すように、上面に生体埋植材Ａを載置可能に構成された載置部２０と、載置部２０の上面の一部のみを覆うように、載置部２０の端部に連接して配置された把持部３０と、載置部２０に設けられた保持部４０とを備える。載置部２０には、格子状の目盛り線５０が形成されている。
【００３７】
保護シート１０の平面形状は、図３（ａ）に示すように把持部３０を展開した状態において、生体埋植材Ａよりも一回りサイズの大きな略矩形状である。
【００３８】
保護シート１０は、例えば高密度ポリエチレン不織布から構成されており、白色不透明である。
【００３９】
保護シート１０は、１枚のシート状の基材を所定箇所で２つ折りにしたものである。図２（ａ）に示す折れ線部分ＢＬを境界として、相対的に面積の広い方が載置部２０であり、面積の狭い方が把持部３０である。
【００４０】
載置部２０に対する把持部３０の大きさとしては、載置部２０に生体埋植材Ａを載置して生体埋植材Ａを把持部３０で覆ったとき（図３（ｂ）に示す状態のとき）、生体埋植材Ａの露出面積が、生体埋植材Ａの片側全表面積の１０％以上（第１実施形態においては約７０％）となるように設定されている。
【００４１】
把持部３０は、図２及び図３から分かるように、折れ線部分ＢＬの部分で折り曲げることにより、載置部２０に生体埋植材Ａが載置された状態で載置部２０との間で生体埋植材Ａを挟持可能に構成されている。
【００４２】
保持部４０は、載置部２０に対して例えば円弧状の切り込みを入れることによって設けられたスリットである。保持部４０は、載置部２０の端部のうち把持部３０と連接している側の端部とは反対の端部寄りの位置に設けられている。このように構成された保持部４０に対して、図３（ａ）〜図３（ｃ）に示すようにして生体埋植材Ａの一部を挟み込むことにより、生体埋植材Ａを保持することが可能となる。
【００４３】
目盛り線５０は、保護シート１０のうち載置部２０が設けられている部分にのみ形成されており、載置部２０とは反対側の面や把持部３０の部分には形成されていない。目盛り線５０は、例えば載置部２０の表面に特殊インクで印刷することにより形成されている。
【００４４】
目盛り線５０は、例えば等間隔の格子で構成されており、載置部２０に生体埋植材Ａが載置されたときに生体埋植材Ａの裁断を補助する働きがある。
【００４５】
以上のように構成された第１実施形態に係る保護シート１０によれば、生体埋植材Ａの裁断を補助する目盛り線５０が形成されているため、この目盛り線５０を利用すれば定規等を用いなくても生体埋植材Ａを所望のサイズに裁断することが可能となる。このため、定規等を用いる場合に必要とされた衛生管理の手間は生じないし、生体埋植材Ａの寸法を定規等で裁断の都度測定する必要もない。また、目盛り線５０に沿って裁断することにより、生体埋植材Ａを所望のサイズに正確に裁断することも可能となる。
したがって、第１実施形態に係る保護シート１０は、生体埋植材を裁断するのに要する手間を軽減することができ、かつ、生体埋植材を所望のサイズに正確に裁断可能な保護シートとなる。
【００４６】
第１実施形態に係る保護シート１０は、生体埋植材Ａの一方面を保護する１枚のシートから構成されている。このように生体埋植材の一方面のみを保護する保護シートであっても、上述したように載置部２０に目盛り線５０が形成されているため、生体埋植材Ａを裁断するのに要する手間を軽減することができ、かつ、生体埋植材Ａを所望のサイズに正確に裁断することが可能となる。
また、載置部２０に載置された生体埋植材Ａが露出しており視認可能であることから、生体埋植材Ａの位置を確認しながら生体埋植材Ａを裁断することが可能となる。さらに、把持部３０が、載置部２０に生体埋植材Ａが載置された状態で載置部２０との間で生体埋植材Ａを挟持可能に構成されているため、把持部３０を介して生体埋植材Ａを指でしっかりと押さえながら正確に裁断することが可能となる。
【００４７】
第１実施形態に係る保護シート１０においては、載置部２０は不透明材料からなり、目盛り線５０は、載置部２０における生体埋植材Ａが載置される側の面にのみ形成されている。生体埋植材として、第１実施形態のように無色透明材料からなる生体埋植材Ａを用いた場合、図３（ｂ）及び図３（ｃ）から分かるように、目盛り線５０が保護シート１０のどちらの面にあるかを確認するだけで、どちらの面に生体埋植材Ａが配置されているのかを容易に認識することが可能となる。
【００４８】
第１実施形態に係る保護シート１０は、１枚のシート状の基材を所定箇所で２つ折りにしたものであって、当該２つ折りにした折れ線部分ＢＬを境界として相対的に面積の広い方を載置部２０とし、面積の狭い方を把持部３０としたものである。これにより、１枚のシート状の基材を準備して、当該基材を所定箇所で２つ折りにすれば第１実施形態に係る保護シート１０を実現することができることから、製造コストの低廉化を図ることが可能となる。
【００４９】
第１実施形態に係る保護シート１０においては、上記の保持部４０をさらに備えるため、保持部４０によって生体埋植材Ａを一時的に保持することができる。このため、生体埋植材Ａを貼り付ける際の取り扱い性及び貼付け精度の向上を図ることが可能となる。
また、保持部４０の位置が、載置部２０の端部のうち把持部３０と連接している側の端部とは反対の端部寄りの位置に設けられていることから、図３（ｂ）から分かるように、生体埋植材Ａを間にして把持部３０と保持部４０の両方で生体埋植材Ａを保持することができる。その結果、適用組織に貼り付ける前の生体埋植材Ａを、比較的高い保持力で載置部２０上に保持し続けることが可能となる。
さらに、包装体１から生体埋植材Ａ及び保護シート１０を取り出す前の、例えば製品輸送時などにおいて、生体埋植材Ａが包装体１の内袋９０内で過度に動き回るのを抑制することが可能となる。
【００５０】
第１実施形態に係る保護シート１０においては、保持部４０は、載置部２０に対して所定形状（例えば円弧状）の切り込みを入れることによって設けられたスリットである。載置部２０に対して所定形状の切り込みを入れるだけでよいことから、上記の効果を奏する保持部４０を比較的容易かつ安価に形成することが可能となる。
【００５１】
載置部に生体埋植材を載置して生体埋植材を把持部で覆ったとき、把持部によって目盛り線の大部分が隠れてしまうと、目盛り線が見えにくくなり、生体埋植材を所望のサイズに正確に裁断することが容易ではなくなる。
これに対し、第１実施形態に係る保護シート１０によれば、載置部２０に生体埋植材Ａを載置して生体埋植材Ａを把持部３０で覆ったときの生体埋植材Ａの露出面積が、生体埋植材Ａの片側全表面積の１０％以上となるように、把持部３０の大きさが設定されている。これにより、上記した目盛り線の見えにくさという問題の発生を抑制することが可能となる。
【００５２】
第１実施形態に係る包装体１によれば、上記の保護シート１０を備えているため、生体埋植材を裁断するのに要する手間を軽減することができ、かつ、生体埋植材を所望のサイズに正確に裁断することが可能となる。
【００５３】
第１実施形態に係る包装体１においては、生体埋植材Ａが癒着防止材である。このため、包装体１は、癒着防止材を裁断するのに要する手間を軽減することができ、かつ、癒着防止材を所望のサイズに正確に裁断することが可能な包装体となる。
【００５４】
［第２実施形態］
図４は、第２実施形態に係る保護シート１２を説明するために示す図である。図４（ａ）は把持部３２を展開した状態における保護シート１２を示す図であり、図４（ｂ）及び図４（ｃ）は把持部３２を折り曲げた状態における保護シート１２を示す図であり、図４（ｄ）及び図４（ｅ）は保護シート１２に生体埋植材Ｂを載置したときの、把持部３２を折り曲げた状態における保護シート１２及び生体埋植材Ｂを示す図である。図４（ｂ）は保護シート１２を載置部２２側の面から見た図であり、図４（ｃ）は保護シート１２を載置部２２とは反対側の面から見た図であり、図４（ｄ）は保護シート１２及び生体埋植材Ｂを載置部２２側の面から見た図であり、図４（ｅ）は保護シート１２及び生体埋植材Ｂを載置部２２とは反対側の面から見た図である。
なお、図４において、図１〜図３と同一の部材については同一の符号を付し、詳細な説明は省略する。
【００５５】
第２実施形態に係る保護シート１２は、基本的には第１実施形態に係る保護シート１０と同様の構成を有するが、保護シートの構成材料が、第１実施形態に係る保護シート１０とは異なる。
【００５６】
第２実施形態に係る保護シート１２は、例えばポリエチレンフィルムから構成されており、無色透明である。
【００５７】
生体埋植材Ｂは、第１実施形態で説明した生体埋植材Ａと同様に癒着防止材であるが、生体埋植材Ａのように無色透明ではなく、例えば白色不透明である。
【００５８】
目盛り線５２は、図４（ａ）〜図４（ｃ）から分かるように、保護シート１２のうち載置部２２が設けられている部分にのみ形成されており、載置部２２とは反対側の面や把持部３２の部分には形成されていない。なお、保護シート１２が無色透明であるため、図４（ｃ）に示すように、載置部２２とは反対側の面から目盛り線５２を透けて見ることができる。
【００５９】
なお、載置部２２、把持部３２、保持部４２及び目盛り線５２の構成や機能については、第１実施形態で説明した載置部２０、把持部３０、保持部４０及び目盛り線５０と同様であるため、詳細な説明は省略する。
【００６０】
このように、第２実施形態に係る保護シート１２は、第１実施形態に係る保護シート１０とは、保護シートの構成材料が異なるが、第１実施形態に係る保護シート１０の場合と同様に、生体埋植材Ｂの裁断を補助する目盛り線５２が形成されているため、第１実施形態で説明した理由と同様の理由により、生体埋植材を裁断するのに要する手間を軽減することができ、かつ、生体埋植材を所望のサイズに正確に裁断可能な保護シートとなる。
【００６１】
第２実施形態に係る保護シート１２においては、載置部２２は透明材料からなり、目盛り線５２は、少なくとも載置部２２を含む部分に形成されている。生体埋植材として、第２実施形態のように不透明材料からなる生体埋植材Ｂを用いた場合、生体埋植材Ｂが配置されている側の面から保護シート１２を見たとき（図４（ｄ）に示す方向から見たとき）と、生体埋植材Ｂが配置されている側とは反対の面から保護シート１２を見たとき（図４（ｅ）に示す方向から見たとき）とでは、目視できる目盛り線５２のパターンが異なって見える。つまり、目視できる目盛り線５２のパターンの違いから、生体埋植材Ｂが保護シート１２のどちらの面に配置されているのかを容易に認識することが可能となる。
【００６２】
第２実施形態に係る保護シート１２は、保護シートの構成材料が異なる点以外では、第１実施形態に係る保護シート１０と同様の構成を有するため、第１実施形態に係る保護シート１０が有する効果のうち該当する効果をそのまま有する。
【００６３】
［第３実施形態］
図５は、第３実施形態に係る保護シート１４を説明するために示す図である。図５（ａ）はシート１４Ａの折り曲げ部３４Ａを展開した状態における保護シート１４（２枚のシート１４Ａ，１４Ｂ）を示す図であり、図５（ｂ）は載置部２４Ａの上面に生体埋植材Ａを載置したときのシート１４Ａ及び生体埋植材Ａを示す図であり、図５（ｃ）は図５（ｂ）において生体埋植材Ａの上面にシート１４Ｂを載置したときのシート１４Ａ，１４Ｂ及び生体埋植材Ａを示す図であり、図５（ｄ）は図５（ｃ）において折り曲げ部３４Ａを折り曲げたときのシート１４Ａ，１４Ｂ及び生体埋植材Ａを示す図であり、図５（ｅ）はシート１４Ａ，１４Ｂ及び生体埋植材Ａを側面から見た図である。
なお、図５（ｅ）において、発明の理解を容易にするため、シート１４Ａ，１４Ｂ及び生体埋植材Ａの厚みを誇張して図示している。
また、図５において、図１〜図３と同一の部材については同一の符号を付し、詳細な説明は省略する。
【００６４】
第３実施形態に係る保護シート１４は、図５（ａ）及び図５（ｅ）に示すように、生体埋植材Ａの両面をそれぞれ保護する２枚のシート１４Ａ，１４Ｂから構成されている。
【００６５】
シート１４Ａは、図５（ａ）に示すように、上面に生体埋植材Ａを載置可能に構成された載置部２４Ａと、折れ線部分ＢＬを境界として折り曲げ可能に構成された折り曲げ部３４Ａとを備える。
【００６６】
シート１４Ａの平面形状は、折り曲げ部３４Ａを展開した状態において、生体埋植材Ａよりも一回りサイズの大きな略矩形状である（図５（ｂ）参照。）。
【００６７】
シート１４Ａは、１枚のシートを所定箇所で２つ折りにしたものである。図５（ａ）に示す折れ線部分ＢＬを境界として、相対的に面積の広い方が載置部２４Ａであり、面積の狭い方が折り曲げ部３４Ａである。
【００６８】
シート１４Ｂは、平面視略矩形状であって、一方面に目盛り線５４Ｂが形成されている。目盛り線５４Ｂは、例えばシート１４Ｂの表面に特殊インクで印刷することにより形成されている。目盛り線５４Ｂは、例えば等間隔の格子で構成されており、シート１４Ａの載置部２４Ａに生体埋植材Ａが載置されたときに生体埋植材Ａの裁断を補助する働きがある。
【００６９】
シート１４Ａ，１４Ｂは、例えば高密度ポリエチレン不織布から構成されており、白色不透明である。
【００７０】
このように、第３実施形態に係る保護シート１４は、第１実施形態に係る保護シート１０とは、保護シートの構成が異なるが、第１実施形態に係る保護シート１０の場合と同様に、生体埋植材Ａの裁断を補助する目盛り線５４Ｂが形成されているため、第１実施形態で説明した理由と同様の理由により、生体埋植材を裁断するのに要する手間を軽減することができ、かつ、生体埋植材を所望のサイズに正確に裁断可能な保護シートとなる。
【００７１】
第３実施形態に係る保護シート１４は、保護シートの構成が異なる点以外では、第１実施形態に係る保護シート１０と同様の構成を有するため、第１実施形態に係る保護シート１０が有する効果のうち該当する効果をそのまま有する。
【００７２】
以上、本発明の生体埋植材用保護シート及び包装体を上記の実施形態に基づいて説明したが、本発明は上記の実施形態に限定されるものではなく、その要旨を逸脱しない範囲において種々の態様において実施することが可能であり、例えば次のような変形も可能である。
【００７３】
（１）上記実施形態においては、生体埋植材用保護シートの平面形状として、略矩形状である場合を例示して説明したが、本発明はこれに限定されるものではない。生体埋植材のシート形状に応じて、生体埋植材用保護シートが他の形状を有していてもよい。
【００７４】
（２）上記実施形態においては、生体埋植材用保護シートが、高密度ポリエチレン不織布又はポリエチレンフィルムから構成されている場合を例示して説明したが、本発明はこれに限定されるものではない。生体埋植材用保護シートとしては、例えば、ポリプロピレン、ポリエチレンテレフタレート、ナイロンなどの他の樹脂材料からなるシート状物（不織布を含む。）であってもよいし、紙などを用いてもよい。
【００７５】
（３）上記第１実施形態及び第２実施形態においては、生体埋植材用保護シートが、１枚のシート状の基材を２つ折りにしたものである場合を例示して説明したが、本発明はこれに限定されるものではない。載置部との間で生体埋植材を挟持可能であれば、載置部と把持部とが一部分離していてもよい。また、把持部の平面形状として、図２（ｂ）に示すような略矩形状に限定されず、他の平面形状からなっていてもよい。
【００７６】
（４）上記第１実施形態及び第２実施形態においては、保持部が円弧状の切り込みを入れることによって設けられたスリットである場合を例示して説明したが、本発明はこれに限定されるものではない。保持部として、例えば、生体埋植材の角部に対応する位置に、直線状の切り込みからなるスリットが２つ設けられていてもよい。また、保持部としてはスリットに限定されず、例えば所定形状からなる貫通孔など、載置部に生体埋植材を載置したときに当該生体埋植材を保持可能であれば、他の構成からなっていてもよい。
【００７７】
（５）上記各実施形態においては、シートには把持部が設けられている場合を例示して説明したが、本発明はこれに限定されるものではなく、把持部に代えて、生体埋植材を保持するための他の保持部（スリットや貫通孔など）が設けられていてもよい。
【００７８】
（６）上記実施形態においては、目盛り線が等間隔の格子で構成されている場合を例示して説明したが、本発明はこれに限定されるものではない。載置部に載置された生体埋植材の裁断を補助する働きがあれば、格子以外の形態で目盛り線が形成されていてもよい。また、目盛り線とともに数字や記号、文字等が付されていてもよい。
【００７９】
（７）上記実施形態においては、目盛り線として、載置部の表面に特殊インクで印刷することにより形成されたものを例示して説明したが、本発明はこれに限定されるものではない。例えば、刻印又は型押しなど、他の方法により目盛り線を形成してもよい。また、載置部の表面に目盛り線を形成後、さらにその上からラミネート加工してもよい。
【００８０】
（８）上記第１実施形態及び第２実施形態においては、目盛り線が、保護シートのうち載置部が設けられている部分にのみ形成されている場合を例示して説明したが、本発明はこれに限定されるものではなく、例えば、保護シートのうち載置部とは反対側の面に目盛り線が形成されていてもよい。この場合、載置部が透明材料又は半透明材料から構成されていれば、載置部とは反対側の面から生体埋植材を透けて見ることができ、目盛り線を利用しながら生体埋植材を裁断することができる。
【００８１】
（９）上記第３実施形態においては、目盛り線が、一方のシート１４Ｂにのみ形成されている場合を例示して説明したが、本発明はこれに限定されるものではなく、他方のシート１４Ａにのみ目盛り線が形成されていてもよいし、シート１４Ａ，１４Ｂの両方に目盛り線が形成されていてもよい。また、各シート１４Ａ，１４Ｂの構成材料についても、不透明材料に限定されるものではなく、第２実施形態のように透明材料からなるシートに目盛り線が形成されていてもよい。
【００８２】
（１０）上記第３実施形態においては、２枚のシート１４Ａ，１４Ｂが別体として構成されている場合を例示して説明したが、本発明はこれに限定されるものではない。２枚のシートが一体化されており、所定箇所で折り曲げることにより、生体埋植材の両面を保護できるように構成されていてもよい。また、シート１４Ａに折り曲げ部３４Ａが形成されている場合を例示して説明したが、本発明はこれに限定されるものではなく、折り曲げ部に該当する部分を有していなくても、本発明を適用可能であることは言うまでもない。
【００８３】
（１１）上記第２実施形態においては、無色透明材料からなる保護シート１２に目盛り線５２が形成されている場合を例示して説明したが、本発明はこれに限定されるものではなく、有色の透明材料からなる保護シートに目盛り線が形成されていてもよいし、半透明材料からなる保護シートに目盛り線が形成されていてもよい。
【００８４】
（１２）上記実施形態においては、包装体が備える内袋として、熱圧着により両端部を封止可能に構成されたものを例示して説明したが、本発明はこれに限定されるものではない。生体埋植材と生体埋植材用保護シートを組み合わせた状態で内部に収納可能であれば、他の構成を採用してもよい。また、内袋の構成材料についても、上記実施形態で説明した材料に限定されず、他の材料からなっていてもよい。
【００８５】
（１３）上記実施形態においては、生体埋植材が癒着防止材である場合を例示して説明したが、本発明はこれに限定されるものではない。例えば組織補填材など、他のシート状の生体埋植材を保護する保護シートであっても、本発明を適用可能である。
【符号の説明】
【００８６】
１  包装体
１０，１２，１４  生体埋植材用保護シート
１４Ａ，１４Ｂ  シート
２０，２２，２４Ａ  載置部
３０，３２  把持部
３４Ａ  折り曲げ部
４０，４２  保持部
５０，５２，５４Ｂ  目盛り線
９０  内袋
９２，９４  （内袋の）端部
９６  切り口
Ａ，Ｂ  生体埋植材
ＢＬ  折れ線部分
【図１】
2014124276.tif 000003
【図２】
2014124276.tif 000004
【図４】
2014124276.tif 000005
【図３】
2014124276.tif 000006
【図５】
2014124276.tif 000007